(57)【要約】【課題】本発明はテープ結束作業を不要にし、作業効率の向上、ワイヤーハーネスの寸法精度の向上、製品コストの低下を図ることができるワイヤーハーネスの分岐部固定方法、分岐部固定用フィルム及びワイヤーハーネス分岐部固定構造を提供する。【解決手段】本発明のワイヤーハーネスの分岐部固定方法は、熱収縮フィルムからなる分岐部固定用フィルム４を保持治具１に取り付け、分岐部固定用フィルム４上にワイヤーハーネス２の分岐部２ａを載置して、保持治具１により保持する工程と、分岐部固定用フィルム４を折り返し、重ねられた部分を接着、溶着又は熱圧着して、ワイヤーハーネス２の分岐部２ａを被覆する工程と、分岐部固定用フィルム４を加熱、収縮させて、ワイヤーハーネス２の分岐部２ａを固定する工程とを有する。【選択図】図１
2007149566.tif 000002
【特許請求の範囲】
【請求項１】
（１）熱収縮フィルムからなる分岐部固定用フィルムにより、ワイヤーハーネスの分岐部を被覆する工程と、
（２）前記分岐部固定用フィルムを加熱、収縮させて、前記ワイヤーハーネスの分岐部を固定する工程と、
を有することを特徴とするワイヤーハーネスの分岐部固定方法。
【請求項２】
（１）熱収縮フィルムからなる分岐部固定用フィルムを保持治具に取り付け、前記分岐部固定用フィルム上にワイヤーハーネスの分岐部を載置して、前記保持治具により保持する工程と、
（２）前記分岐部固定用フィルムを折り返し、重ねられた部分を接着、溶着又は熱圧着して、前記ワイヤーハーネスの分岐部を被覆する工程と、
（３）前記分岐部固定用フィルムを加熱、収縮させて、前記ワイヤーハーネスの分岐部を固定する工程と、
を有することを特徴とするワイヤーハーネスの分岐部固定方法。
【請求項３】
（１）熱収縮フィルムからなる第１の分岐部固定用フィルムを保持治具に取り付け、前記第１の分岐部固定用フィルム上にワイヤーハーネスの分岐部を載置して、前記保持治具により保持する工程と、
（２）前記ワイヤーハーネスの分岐部上に熱収縮フィルムからなる第２の分岐部固定用フィルムを載置して前記保持治具に取り付け、前記第１の分岐部固定用フィルムと第２の分岐部固定用フィルムとを接着、溶着又は熱圧着して、前記ワイヤーハーネスの分岐部を挟み込む工程と、
（３）前記第１の分岐部固定用フィルム及び第２の分岐部固定用フィルムを加熱、収縮させて、前記ワイヤーハーネスの分岐部を固定する工程と、
を有することを特徴とするワイヤーハーネスの分岐部固定方法。
【請求項４】
請求項２又は３に記載のワイヤーハーネスの分岐部固定方法に用いられる分岐部固定用フィルムであって、前記保持治具の保持杆部を挿通する挿通孔が形成されていることを特徴とする分岐部固定用フィルム。
【請求項５】
ワイヤーハーネスの分岐部と、熱収縮フィルムとを有するワイヤーハーネス分岐部固定構造であって、
前記ワイヤーハーネスの分岐部に対して熱収縮フィルムが熱収縮した状態で固定されており、かつ前記熱収縮フィルム同士が互いに重ね合わされて固定されている部分が形成されている、
ことを特徴とするワイヤーハーネス分岐部固定構造。
【発明の詳細な説明】
【技術分野】
【０００１】
本発明は、車両等に用いられるワイヤーハーネスの分岐部を固定するためのワイヤーハーネスの分岐部固定方法、分岐部固定用フィルム及びワイヤーハーネス分岐部固定構造に関し、特に、テーピング処理を不要にしたワイヤーハーネスの分岐部固定方法、分岐部固定用フィルム及びワイヤーハーネス分岐部固定構造に関する。
【背景技術】
【０００２】
従来、車両等に用いられるワイヤーハーネスの製造に際して分岐部を固定する場合、テープ巻きによるテーピング処理方法が行われていた。
【０００３】
図４は、従来のテーピング処理方法を説明するための説明図である。
【０００４】
ワイヤーハーネス組立図板の布線図（図示せず）に沿った適宜位置に保持治具１が立設されており、その保持治具１の上部に形成された三又状の保持杆部１ａ〜１ｃの間にワイヤーハーネス２の分岐部２ａを保持する。ワイヤーハーネス２の分岐部２ａは、幹線部２ｂから枝線部２ｃがＴ字状に分岐して構成されている（図４（Ａ）参照）。
【０００５】
テーピング処理を行う場合、人手により、ワイヤーハーネス２の分岐部２ａを保持治具１から取り外して、ワイヤーハーネス２の分岐部２ａにテープ３をたすき掛けに巻き付けて結束する（図４（Ｂ）参照）。
【０００６】
テーピング処理が完了した後は、テープ結束されたワイヤーハーネス２を保持治具１の元の位置に戻して保持する（図４（Ｃ）参照）（以下、この技術を従来例１という）。
【０００７】
また、特許文献１には、ワイヤーハーネスの分岐部の一側面側に配置されるシート基部と、そのシート基部より外側に延びて形成された結束片部とを備えた分岐部結束用シートを用いて、ワイヤーハーネスの分岐部を分岐部結束用シートを介してテープ巻きするテーピング処理方法が開示されている。このテーピング処理方法によれば、テープ結束作業を容易にするとともに、分岐部における電線のはみ出しを防止することができる、としている（以下、この技術を従来例２という）。
【特許文献１】特開平８−１６３７４２号公報
【発明の開示】
【発明が解決しようとする課題】
【０００８】
従来例１では、ワイヤーハーネス２の分岐部２ａをテープ３により結束する作業が煩雑で面倒であり、作業効率が悪いという課題がある。
【０００９】
また、テープ結束作業は人手により行われるので、作業者の技量によって分岐部成形の良否のバラツキが大きく、製品の品質を不安定にするという課題がある。
【００１０】
また、テープ結束作業の前に、一端、ワイヤーハーネス２を保持治具１から取り外す必要があるため、ワイヤーハーネス２の寸法精度が低下するという課題がある。
【００１１】
さらに、テープ結束作業の場合、分岐部２ａの形態（分岐数、分岐径、方向等）毎にテープ３の使用量が異なるため、テープ３を過剰に使用しやすく、製品コストが高くなるという課題がある。
【００１２】
従来例２では、分岐部結束用シートを用いてテープ結束作業の効率化を図っているが、テープ結束作業を必要としている点については従来例１と変わらないので、従来例１と同様の課題がある。
【００１３】
さらに、従来例２では、テープの他に分岐部結束用シートを必要としているので、部品点数が増加し、製品コストが高くなるという課題がある。
【００１４】
本発明は、上記課題を解決するためになされたものであり、テープ結束作業を不要にし、作業効率の向上、ワイヤーハーネスの寸法精度の向上、製品コストの低下を図ることができるワイヤーハーネスの分岐部固定方法、分岐部固定用フィルム及びワイヤーハーネス分岐部固定構造を提供することを目的とする。
【課題を解決するための手段】
【００１５】
本発明の第１のワイヤーハーネスの分岐部固定方法は、
（１）熱収縮フィルムからなる分岐部固定用フィルムにより、ワイヤーハーネスの分岐部を被覆する工程と、
（２）前記分岐部固定用フィルムを加熱、収縮させて、前記ワイヤーハーネスの分岐部を固定する工程と、
を有することを特徴とするものである。
本発明の第２のワイヤーハーネスの分岐部固定方法は、
（１）熱収縮フィルムからなる分岐部固定用フィルムを保持治具に取り付け、前記分岐部固定用フィルム上にワイヤーハーネスの分岐部を載置して、前記保持治具により保持する工程と、
（２）前記分岐部固定用フィルムを折り返し、重ねられた部分を接着、溶着又は熱圧着して、前記ワイヤーハーネスの分岐部を被覆する工程と、
（３）前記分岐部固定用フィルムを加熱、収縮させて、前記ワイヤーハーネスの分岐部を固定する工程と、
を有することを特徴とするものである。
【００１６】
本発明の第３のワイヤーハーネスの分岐部固定方法は、
（１）熱収縮フィルムからなる第１の分岐部固定用フィルムを保持治具に取り付け、前記第１の分岐部固定用フィルム上にワイヤーハーネスの分岐部を載置して、前記保持治具により保持する工程と、
（２）前記ワイヤーハーネスの分岐部上に熱収縮フィルムからなる第２の分岐部固定用フィルムを載置して前記保持治具に取り付け、前記第１の分岐部固定用フィルムと第２の分岐部固定用フィルムとを接着、溶着又は熱圧着して、前記ワイヤーハーネスの分岐部を挟み込む工程と、
（３）前記第１の分岐部固定用フィルム及び第２の分岐部固定用フィルムを加熱、収縮させて、前記ワイヤーハーネスの分岐部を固定する工程と、
を有することを特徴とするものである。
【００１７】
本発明の分岐部固定用フィルムは、前記ワイヤーハーネスの分岐部固定方法に用いられ、前記保持治具の保持杆部を挿通する挿通孔が形成されていることを特徴とするものである。
【００１８】
本発明のワイヤーハーネス分岐部固定構造は、ワイヤーハーネスの分岐部と、熱収縮フィルムとを有するワイヤーハーネス分岐部固定構造であって、前記ワイヤーハーネスの分岐部に対して熱収縮フィルムが熱収縮した状態で固定されており、かつ前記熱収縮フィルム同士が互いに重ね合わされて固定されている部分が形成されていることを特徴とするものである。
【発明の効果】
【００１９】
本発明によれば、次のような効果を奏する。
【００２０】
（１）テーピング処理が不要であるので、作業が簡単になり、作業効率が向上する。
【００２１】
（２）人手によらず、分岐部固定用フィルムの収縮によりワイヤーハーネスの分岐部を自動的に固定するので、分岐部成形の良否のバラツキがなくなり、製品の品質を安定化することができる。
【００２２】
（３）作業前にワイヤーハーネスを保持治具から取り外す必要がないため、ワイヤーハーネスの寸法精度を向上させることができる。
【００２３】
（４）ワイヤーハーネスの分岐部の形態（分岐数、分岐径、方向等）が異なる場合であっても定形の分岐部固定用フィルムを用いることができるので、部材の過剰使用を防止でき、製品コストを抑えることができる。
【発明を実施するための最良の形態】
【００２４】
以下、本発明の実施の形態について図面を参照して説明する。図１は、本発明の第１の実施形態例に係るワイヤーハーネスの分岐部固定方法を説明するための説明図である。
【００２５】
ワイヤーハーネス組立図板の布線図（図示せず）に沿った適宜位置に保持治具１が立設されており、その保持治具１の上部に形成された三又状の第１〜第３の保持杆部１ａ〜１ｃに略長方形状の分岐部固定用フィルム４を取り付け、その分岐部固定用フィルム４上にワイヤーハーネス２の分岐部２ａを載置して、保持治具１により保持する（図１（Ａ）参照）。
【００２６】
ワイヤーハーネス２の分岐部２ａは、幹線部２ｂから枝線部２ｃがＴ字状に分岐して構成されている。
【００２７】
分岐部固定用フィルム４は、ポリオレフィン系樹脂、塩化ビニル系樹脂等で作られた略短形の熱収縮フィルム（シュリンクフィルム）により構成されている。
【００２８】
分岐部固定用フィルム４には、図３（Ａ）に示すように、その中央部に長手方向に延びた第１の挿通孔４ａが形成され、その四隅近傍に円形の第２〜第５の挿通孔４ｂ〜４ｅがそれぞれ形成されている。
【００２９】
分岐部固定用フィルム４の第１の挿通孔４ａに保持治具１の第１の保持杆部１ａが挿通され、枝線部２ｃを挟んだ位置にある第２の挿通孔４ｂ及び第３の挿通孔４ｃに保持治具１の第２の保持杆部１ｂ及び第２の保持杆部１ｃがそれぞれ挿通されている。
【００３０】
次いで、分岐部固定用フィルム４を折り返して、第４の挿通孔４ｄを保持治具１の第２の保持杆部１ｂに挿通させ、第５の挿通孔４ｅを保持治具１の第３の保持杆部１ｃに挿通させる（図１（Ｂ）参照）。
【００３１】
次いで、分岐部固定用フィルム４の重ねられた部分を接着、溶着又は熱圧着して、ワイヤーハーネス２の分岐部２ａを被覆する。
【００３２】
その後、分岐部固定用フィルム４を加熱、収縮させて、ワイヤーハーネス２の分岐部２ａを固定する（図１（Ｃ）参照）。
【００３３】
本発明の第１の実施形態例に係るワイヤーハーネス２の分岐部固定方法によれば、テーピング処理が不要であるので、作業が簡単になり、作業効率が向上する。
【００３４】
また、人手によらず、分岐部固定用フィルム４の収縮によりワイヤーハーネス２の分岐部２ａを自動的に固定するので、分岐部成形の良否のバラツキがなくなり、製品の品質を安定化することができる。
【００３５】
また、作業前にワイヤーハーネス２を保持治具１から取り外す必要がないため、ワイヤーハーネス２の寸法精度を向上させることができる。
【００３６】
さらに、ワイヤーハーネス２の分岐部２ａの形態（分岐数、分岐径、方向等）が異なる場合であっても定形の分岐部固定用フィルム４を用いることができるので、部材の過剰使用を防止でき、製品コストを抑えることができる。
【００３７】
また、本実施形態例では略短形の分岐部固定用フィルム４が折り返されて、その対向する角部のフィルム同士がＴ字状のワイヤーハーネス２の分岐部２ａの両側でそれぞれ互いに重ね合わされて接着、溶着又は熱圧着されており、これにより、分岐部固定用フィルム４がワイヤーハーネス２の分岐部２ａに対して確実に固定される効果を奏する。
【００３８】
図２は、本発明の第２の実施形態例に係るワイヤーハーネス２の分岐部固定方法を説明するための説明図である。  
ワイヤーハーネス組立図板の布線図（図示せず）に沿った適宜位置に保持治具１が立設されており、その保持治具１の上部に形成された三又状の第１〜第３の保持杆部１ａ〜１ｃに略長方形状の第１の分岐部固定用フィルム５を取り付け、その第１の分岐部固定用フィルム５上にワイヤーハーネス２の分岐部２ａを載置して、保持治具１により保持する（図２（Ａ）参照）。
【００３９】
第１の分岐部固定用フィルム５はポリオレフィン系樹脂、塩化ビニル系樹脂等で作られた略短形の熱収縮フィルムからなり、図３（Ｂ）に示すように、保持治具１の第１〜第３の保持杆部が挿通される第１〜第３の挿通孔５ａ〜５ｃが形成されている。
【００４０】
次いで、ワイヤーハーネス２の分岐部２ａ上に第２の分岐部固定用フィルム６を載置して保持治具１に取り付ける（図２（Ｂ）参照）。第２の分岐部固定用フィルム６はポリオレフィン系樹脂、塩化ビニル系樹脂等で作られた略短形の熱収縮フィルムからなり、図３（Ｃ）に示すように、保持治具１の第１〜第３の保持杆部１ａ〜１ｃが挿通される第１〜第３の挿通孔６ａ〜６ｃが形成されている。
【００４１】
次いで、第１の分岐部固定用フィルム５と第２の分岐部固定用フィルム６とを接着、溶着又は熱圧着して、ワイヤーハーネス２の分岐部２ａを挟み込む。
【００４２】
その後、第１の分岐部固定用フィルム５及び第２の分岐部固定用フィルム６を加熱、収縮させて、ワイヤーハーネス２の分岐部２ａを固定する（図２（Ｃ）参照）。
【００４３】
本発明の第２の実施形態例によれば、２枚の分岐部固定用フィルムを使用するので、第１の実施形態例のように１枚の分岐部固定用フィルムを折り返す必要がなく、小形の分岐部固定用フィルムを使用できるとともに、分岐部固定用フィルムに形成される挿通孔の数を少なくできる。
【００４４】
また、本実施形態例では略短形の分岐部固定用フィルム５，６が重ね合わされ、フィルム同士がＴ字状のワイヤーハーネス２の分岐部２ａの両側等でそれぞれ互いに重ね合わされて接着、溶着又は熱圧着されており、これにより、分岐部固定用フィルム５，６がワイヤーハーネス２の分岐部２ａに対して確実に固定される効果を奏する。
【００４５】
なお、第１の分岐部固定用フィルム５と第２の分岐部固定用フィルム６との位置決めを容易にするために、任意な箇所に位置決め用の孔７、８がそれぞれ形成されていてもよい。
【００４６】
本発明は、上記実施の形態に限定されることはなく、特許請求の範囲に記載された技術的事項の範囲内において、種々の変更が可能である。例えば、本発明が適用されるワイヤーハーネス２の分岐部２ａはＴ字状の形態のものに限定されず、分岐数、分岐径、方向等を問わず、種々の形態の分岐部にも適用できる。
【００４７】
また、分岐部固定用フィルム４、５，６の形状や挿通孔の位置及び数は例示であり、これに限定されるものではない。
【産業上の利用可能性】
【００４８】
本発明は、車両等に用いられるワイヤーハーネスの製造に際して分岐部を固定するために用いられる。
【図面の簡単な説明】
【００４９】
【図１】（Ａ）〜（Ｃ）は、本発明の第１の実施形態例に係るワイヤーハーネスの分岐部固定方法を説明するための説明図である。
【図２】（Ａ）〜（Ｃ）は、本発明の第２の実施形態例に係るワイヤーハーネスの分岐部固定方法を説明するための説明図である。
【図３】（Ａ）は分岐固定用フィルムを示す平面図、（Ｂ）は第１の分岐固定用フィルムを示す平面図、（Ｃ）は第２の分岐固定用フィルムを示す平面図である。
【図４】（Ａ）〜（Ｃ）は従来のテーピング処理方法を説明するための説明図である。
【符号の説明】
【００５０】
１：保持治具
２：ワイヤーハーネス
３：テープ
４：分岐部固定用フィルム
５：第１の分岐部固定用フィルム
６：第２の分岐部固定用フィルム
７：位置決め用の孔
８：位置決め用の孔
【図１】
2007149566.tif 000003
【図２】
2007149566.tif 000004
【図３】
2007149566.tif 000005
【図４】
2007149566.tif 000006